(57)【特許請求の範囲】
【請求項１】
水滴を分裂させてマイナスイオンを発生させる第１のマイナスイオン発生源と、放電によりマイナスイオンを発生させる第２のマイナスイオン発生源とを、同一の筐体内に組込んでおり、
第１のマイナスイオン発生源からのマイナスイオンを放出する第１のマイナスイオン放出口と、第２のマイナスイオン発生源からのマイナスイオンを放出する第２のマイナスイオン放出口とを個別に設け、
第１のマイナスイオン放出口を略水平方向に開口する一方、第２のマイナスイオン放出口を略垂直方向に開口し、
第１のマイナスイオン放出口から第１のマイナスイオン発生源からのマイナスイオンを放出させ、第２のマイナスイオン放出口から第２のマイナスイオン発生源からのマイナスイオンを放出させるためのファン部と、
前記ファン部によって発生した風を第１のマイナスイオン放出口に流すダクトと、
前記ダクトに連通連結され前記ファン部によって発生した風を第２のマイナスイオン放出口に流す筒部と、
前記ダクトと前記筒部との連結部近傍に設けられ、前記ファン部からの送風量を第１のマイナスイオン発生源と第２のマイナスイオン発生源とに必要に応じて適宜の割合で分配する流路幅調整弁とを有することを特徴とするマイナスイオン発生装置。
【請求項２】
前記流路幅調整弁を操作する操作部を有し、
前記操作部により前記流路幅調整弁を操作することで、前記ファン部からの送風量を第１のマイナスイオン発生源と第２のマイナスイオン発生源とに必要に応じて適宜の割合で分配することを特徴とする請求項１記載のマイナスイオン発生装置。
【発明の詳細な説明】
【０００１】
【発明の属する技術分野】
この発明は、マイナスイオン発生装置に関するものである。
【０００２】
【従来の技術】
マイナスイオンは、人体内に取り込まれることにより、精神安定効果、体質改善効果、新陳代謝効果、さらにその他健康促進において多様な効果が認められるとされているとともに、シックハウス症候群の原因とされる壁材などから発生するプラスイオンを中和する作用もあるといわれている。
【０００３】
近年、かかるマイナスイオンが注目されており、このマイナスイオンを発生させる装置を組込んだ家電製品が増加している。
【０００４】
例えば、比較的大型のものではエアコンディショナーがあり、小型のものではヘアケアを目的としたヘアブラシなどがあるが、通常、これらにはいずれも放電式のマイナスイオン発生装置が組込まれている。
【０００５】
これは、放電によって空気中の酸素にマイナスの電気を帯びさせ、これに微小な水分を結合させマイナスイオンとし、風に乗せてマイナスイオンを放出するようにしている。
【０００６】
他方、マイナスイオンは自然の中にも存在しており、特に、滝周辺などにはマイナスイオンが多く存在していることがレナード現象として一般によく知られている。これは、空気中で水滴が分裂するときに水滴はプラスに帯電し、その周囲の空気はマイナスに帯電して空気のイオン化現象が起こりマイナスイオンが生成されるとされている。
【０００７】
この自然界のマイナスイオンは、前述した放電により生成されたマイナスイオンよりも長寿命で、しかも人間にやさしいとされている。
【０００８】
かかる自然のマイナスイオンを発生させるようにしたマイナスイオン発生装置として、例えば特公平５−５８７５５号公報などに記載されているものがあり、前記放電式の装置に対してレナード式と呼ばれている。
【０００９】
【発明が解決しようとする課題】
ところが、上記した従来のマイナスイン発生装置において、放電式の装置で生成されたマイナスイオンは、所謂小イオンと呼ばれる分子集団であり、分子数としては数十個程度であって、空間における拡散力は大きいものの、マイナスイオンとしての寿命は短いものであった。
【００１０】
一方、レナード式の装置で生成されたマイナスイオンは大イオンと呼ばれ、前記小イオンや電子が微細な水分粒子に付着したものであり、質量的には小イオンの数千倍に達するものもあり、寿命が長いものの小イオンに比べて拡散力が弱いために、居住空間全体にマイナスイオンを満たすことは難しいものであった。また、水滴を円板の遠心力などを用いて機械的に分裂させるようにしているために、円板による水切り音などが騒音となりやすい。
【００１１】
このように、放電式、レナード式にはそれぞれ一長一短があり、これらを単独で使用する以上、室内などのような人間の生活空間そのものの環境を人体に有益な空間としながら、なおかつ十分量のマイナスイオンを人体に取り込ませるようにすることは難しいものであった。
【００１２】
本発明は、上記課題を解決することのできるマイナスイオン発生装置を提供することを目的としている。
【００１３】
【課題を解決するための手段】
（１）請求項１記載の発明では、水滴を分裂させてマイナスイオンを発生させる第１のマイナスイオン発生源と、放電によりマイナスイオンを発生させる第２のマイナスイオン発生源とを、同一の筐体内に組込んでおり、第１のマイナスイオン発生源からのマイナスイオンを放出する第１のマイナスイオン放出口と、第２のマイナスイオン発生源からのマイナスイオンを放出する第２のマイナスイオン放出口とを個別に設け、第１のマイナスイオン放出口を略水平方向に開口する一方、第２のマイナスイオン放出口を略垂直方向に開口し、第１のマイナスイオン放出口から第１のマイナスイオン発生源からのマイナスイオンを放出させ、第２のマイナスイオン放出口から第２のマイナスイオン発生源からのマイナスイオンを放出させるためのファン部と、前記ファン部によって発生した風を第１のマイナスイオン放出口に流すダクトと、前記ダクトに連通連結され前記ファン部によって発生した風を第２のマイナスイオン放出口に流す筒部と、前記ダクトと前記筒部との連結部近傍に設けられ、前記ファン部からの送風量を第１のマイナスイオン発生源と第２のマイナスイオン発生源とに必要に応じて適宜の割合で分配する流路幅調整弁とを有する。
【００１４】
（２）請求項２記載の本発明では、前記流路幅調整弁を操作する操作部を有し、前記操作部により前記流路幅調整弁を操作することで、前記ファン部からの送風量を第１のマイナスイオン発生源と第２のマイナスイオン発生源とに必要に応じて適宜の割合で分配する。
【００１８】
【発明の実施の形態】
本発明は、水滴を分裂させてマイナスイオンを発生させる第１のマイナスイオン発生源と、放電によりマイナスイオンを発生させる第２のマイナスイオン発生源とを、同一の筐体内に組込んだものである。
【００１９】
すなわち、第１のマイナスイオン発生源は所謂レナード式のものであり、同発生源から発生する所謂大イオンと呼ばれるマイナスイオンは、小イオンや電子が微細な水分粒子に付着したものであり、質量的には極めて大きく、寿命が長いものであり、かつ自然界、特に滝周辺に存在するマイナスイオンと同質のもので人間にやさしい。これを十分に摂取することで、疲労回復、精神安定、体質改善、血液浄化、新陳代謝、抵抗力増進、自律神経調整、胃腸消化促進などの各種効果を奏することができると言われている。
【００２０】
さらに、第２のマイナスイオン発生源は所謂放電式のものであり、同発生源から発生する所謂小イオンと呼ばれる分子集団からなるマイナスイオンは拡散力が極めて大きい。これを人間の生活空間に広く拡散して充満させることにより、室内に存在するプラスイオンを中和して、環境を良好に保つことができる。
【００２１】
このように、性状の異なる二種類のマイナスイオンを同時に発生させることにより、人間の生活空間内に健康に良いとされるマイナスイオンの効果を最大限に引き出すことが可能となる。
【００２２】
そして、これら性状の異なるマイナスイオンを用途に応じて使い分けができるように、前記第１のマイナスイオン発生源と、第２のマイナスイオン発生源とを個別に制御可能とすることができる。
【００２３】
したがって、第１のマイナスイオンを生成してこれを吸い込むことでリラクセーション効果や前記した身体に関する各種効果を積極的に享受したり、あるいは夜間などは水切り音などによる騒音のおそれのない第２のマイナスイオン発生源のみを駆動して安眠しながらマイナスイオンによる効果を生起させるなどの使い分けが可能となる。
【００２４】
また、小イオンと大イオンとが衝突しあい、お互いの長所を消しあったりすることのないように、前記第１のマイナスイオン発生源からのマイナスイオンを放出する第１のマイナスイオン放出口と、第２のマイナスイオン発生源からのマイナスイオンを放出する第２のマイナスイオン放出口とを個別に設けることが好ましい。
【００２５】
さらに、かかる第１のマイナスイオン放出口と第２のマイナスイオン放出口との開口向きを異ならせることがなお好ましい。
【００２６】
すなわち、小イオンと大イオンとでは、拡散力、寿命などの点でそれぞれ異なる特徴を有するもので、これらを異なる方向に放出することで、特徴を十分に活かした利用が可能となる。
【００２７】
例えば、前記第１のマイナスイオン放出口を略水平方向に開口する一方、第２のマイナスイオン放出口を略垂直方向に開口することができる。
【００２８】
かかる構成とすると、拡散力が大きな小イオンからなるマイナスイオンをプラスイオンが発生しやすい壁材に沿って広く部屋中に拡散させてマイナスイオンによるドーム状のバリヤを形成して室内環境を改善し、シックハウス症候群などの発生防止に寄与させるとともに、寿命が長く、人間にやさしく、かつ人体に取り込みやすい大イオンを人体に向けて直接集中的に放出することで、マイナスイオンによる身体への健康促進効果を向上させることができる。
【００２９】
【実施例】
（第１実施例）
以下、この発明の第１実施例を図面に基づき具体的に説明する。
【００３０】
図１は第１実施例に係るマイナスイオン発生装置Ａの説明図、図２は同マイナスイオン発生装置Ａの分解斜視図、図３は放電式マイナスイオン発生部２の拡大説明図、図４は同マイナスイオン発生装置Ａの使用例を示す説明図である。
【００３１】
図１及び図２に示すように、マイナスイオン発生装置Ａは、水滴を分裂させてマイナスイオンを発生させる第１のマイナスイオン発生源としてのレナード式マイナスイオン発生部１と、放電によりマイナスイオンを発生させる第２のマイナスイオン発生源としての放電式マイナスイオン発生部２とを、同一の筐体３内に組込んで構成している。
【００３２】
なお、筐体３は、底壁部３２と周壁部３３と上部壁部３４とからなる箱型の機能部収納ケース３０と、同機能部収納ケース３０の上部を覆う上部カバーケース３１とから構成しているが、理解を容易にするために、図１においては上部カバーケース３１を、図２においては機能部収納ケース３０の周壁部３３を省略して表している。
【００３３】
（レナード式マイナスイオン発生部１）
レナード式マイナスイオン発生部１は、微細水滴を発生させる微細水滴生成部１１と、筐体３の外から空気を吸入して前記微細水滴生成部１１に送り、同微細水滴生成部１１で生成された微細水滴を空気に拡散させて混合空気となすファン部１２と、微細水滴を含む前記混合空気を遠心分離して、マイナスイオン化された極微小の微細水滴のみを含む混合空気を生成する遠心分離部１３とを備えている。
【００３４】
微細水滴生成部１１と遠心分離部１３とは、筐体３の上部壁部３４の下部に形成した上側開口の水タンク１０内に並設している。なお、図中、３５は前記上部壁部３４の下端に連設した中間壁であり、水タンク１０を形成するとともに、同水タンク１０内には微細水滴生成部１１を収納する円筒部３５ａと、遠心分離部１３を形成する螺旋条付円筒部３５ｂとを設けている。
【００３５】
微細水滴生成部１１は、微細水滴生成用モータ１４から上方へ突設した回転軸１５に、小間隙１６をあけて重合配設した二重回転筒部１７を連設しており、同二重回転筒部１７の各上端には、前記小間隙１６と連通した微小間隙をあけて上下平行に円板部１８，１８を連設するとともに、同円板部１８，１８を円筒状メッシュ体１９により囲繞している。
【００３６】
ファン部１２は、筐体３の下部一側に設けられており、ファンケース１２ａ内にシロッコファン１２ｂを配設するとともに、ＵＬＰＡフィルタ１２ｃ、プレフィルタ１２ｄ、フィルタ押さえ１２ｅを配設している。１２ｆはファンモータである。
【００３７】
そして、前記ファンケース１２ａにダクト３６の基端を連通連結するとともに、同ダクト３６の先端開口部３６ａを前記微細水滴生成部１１の上部に臨ませている。
【００３８】
したがって、ファン部１２により発生した風は、図１の矢印ｆで示すダクト内流路を通って、微細水滴生成部１１に導入されることになる。３６ｂは上部壁部３４に形成した送風ガイド部である。
【００３９】
また、遠心分離部１３は、前記微細水滴生成部１１からファン部１２からの送風により送られる分裂した多数の微小水滴を含む混合空気から粒径の大きな微細水滴を分離して、極微小水滴のみを含む混合空気を発生させるもので、微細水滴生成部１１を収納した円筒部３５ａと連通し、内部に図示しない螺旋条を形成して、微細水滴生成部１１から送られた混合空気を旋回させながら粒径の大きな微細水滴を分離可能としている。
【００４０】
上記構成により、微細水滴生成用モータ１４を駆動させると二重回転筒部１７が高速回転し、前記小間隙１６を水タンク１０内の水が毛細管現象により上昇するとともに、円板部１８，１８間の微小間隙から遠心力により吐き出され、前記円筒状メッシュ体１９に衝突して微小水滴が分裂し、このときに後述するファン部１２より送られた空気内に微小水滴が拡散し、レナード効果によってプラスイオン化した水滴と、その周りの空気がマイナスイオン化して、両イオンが混在した混合空気が発生する。
【００４１】
かかる混合空気は、遠心分離部１３に送られて粒径の大きな微細水滴が分離されて前記水タンク１０へ還流し、大量のマイナスイオンを含んだ混合空気となって矢印ｆ’に示されるように螺旋条付円筒部３５ｂの上部から放出される。
【００４２】
なお、図２中、３４ａは上部壁部３４に突設した給水口を兼ねるガイド筒であり、遠心分離部１３を介して水タンク１０に給水することができ、また、マイナスイオン発生時には、前記螺旋条付円筒部３５ｂから放出されるマイナスイオンを含んだ混合空気を後述する第１の放出口４１に案内可能としている。
【００４３】
すなわち、上部カバーケース３１に、前記ガイド筒３４ａの直上方に位置するように矩形形状とした第１の放出口４１を設けるとともに、同第１の放出口４１には、混合空気の放出向きを略水平方向に屈曲案内する案内板４１ａを設けている。
【００４４】
したがって、本実施例によれば、レナード式マイナスイオン発生部１からのマイナスイオンは、筐体３から略水平方向からやや斜め方向に向かって放出されることになる。
【００４５】
図１及び図２において、５は水タンク１０と連通した排水タンクであり、前記水タンク１０の遠心分離部１３の下方に形成した排水口１３ａと排水ホース５１により連通連結している。
【００４６】
かかる排水タンク５は、筐体３から取出自在に設けられており、所定時間を経過した古い貯留水は、雑菌などが生じる前に適宜廃棄するようにしている。
【００４７】
（放電式マイナスイオン発生部２）
次に放電式マイナスイオン発生部２について説明すると、同放電式マイナスイオン発生部２は、図３に示すようにマイナス極である針状電極２１の周りにプラス極である周囲電極２２を配設し、両電極２１，２２を昇圧回路２３と接続したマイナスイオン発生器２ａからなる周知の構成のものを採用している。
【００４８】
針状電極２１と周囲電極２２との間に高電圧を引加するとプラズマ放電が起こり、マイナスイオンが発生するが、この場合のマイナスイオンは小イオンと呼ばれるもので、電子に引き寄せられ結合した気体分子の数としては数個〜数十個程度であり、空気中での拡散力が極めて大きく、しかも、１００万個／ｃｃの規模で大量に生成される。
【００４９】
かかるマイナスイオン発生器２ａは、前記レナード式マイナスイオン発生部１で説明したダクト３６の中途に基端を連通連結した筒部２８の先端側に収納されており、前記筒部２８の先端に第２の放出口４２を上向きに開口している。
【００５０】
すなわち、ファン部１２からダクト３６を介して流れる風が筒部２８に流れ込み、その風に乗って、マイナスイオン発生器２ａにより発生したマイナスイオンが第２の放出口４２から上方へ放出されることになる。
【００５１】
この第２の放出口４２と前記したレナード式マイナスイオン発生部１の第１の放出口４１とは、図２で示すように隣接してはいるが、全く別個に設けられていることから両放出口４１，４２から放出されるマイナスイオン同士が干渉し合うことがなく、円滑に放出される。図２中、３４ｂは筒部２８を挿通する円孔である。
【００５２】
なお、図３中、２４は漏斗状に形成した電極カバー、２５はイオンガイド筒、２６は送風路、２７は防護メッシュである。
【００５３】
上記構成により、本マイナスイオン発生装置Ａを使用した場合、図４に示すように、前記レナード式マイナスイオン発生部１により生成されて第１の放出口４１から略水平に近い斜め上方方向に放出される大イオンであるマイナスイオンは、居住空間Ｑの人間に直接向かって人体に容易に摂取される。
【００５４】
一方、放電式マイナスイオン発生部２により生成されて第２の放出口４２から垂直上方へ大量放出される小イオンであるマイナスイオンは、高速で居住空間Ｑ内に拡散し、しかも、このときに壁際に沿って拡散するために、壁面のプラスイオンを迅速に中和するとともに、図４に一点鎖線Ｌで示すように壁面と居住空間Ｑの中央部との間にマイナスイオンバリヤを形成し、居住空間Ｑ内の環境を良好に保ち、壁材などからの環境ホルモンによるシックハウス症候群などの発症を防止することができる。
【００５５】
このように、本マイナスイオン発生装置Ａでは、レナード効果に基づいた大イオンのマイナスイオンを効率的に人体内に取り込み、疲労回復効果、精神安定効果、体質改善効果、血液浄化効果、新陳代謝効果、抵抗力増進効果、自律神経調整効果、胃腸消化促進効果などの各種効果を生起するともに、放電式により大量に生成され高速で拡散する小イオンのマイナスイオンで壁材などから発生するプラスイオンを中和して室内環境を良好に整えることができることから、人間が生活する居住空間Ｑに好適となる。
【００５６】
また、本実施例に係るマイナスイオン発生装置Ａでは、レナード式マイナスイオン発生部１からのマイナスイオン放出力と、放電式マイナスイオン発生部２からのマイナスイオン放出力とを調整可能にしている。
【００５７】
すなわち、図２及び図５に示すように、放電式マイナスイオン発生部２の筒部２８とダクト３６との連通部近傍に流路幅調整弁６を設けており、図示しない操作部により、ファン部１２からの送風量をレナード式マイナスイオン発生部１側と放電式マイナスイオン発生部２側とに適宜の割合で配分可能としている。
【００５８】
したがって、使用者が必要に応じて大イオンを中心に放出させたり、あるいは小イオンを中心に放出させたりすることが可能である。図５中、６１は流路幅調整弁６の基端に設けた回動軸、６２は同流路幅調整弁６の回動量を規制するストッパピンである。
【００５９】
また、レナード式マイナスイオン発生部１と放電式マイナスイオン発生部２とを個別制御することもできる。
【００６０】
これも図示しない操作部により、使用者が適宜操作できるようにするもので、例えばレナード式マイナスイオン発生部１をオンにして放電式マイナスイオン発生部２をオフにしたり、あるいはその逆にしたりすることが可能である。すなわち、就寝時などには、放電式マイナスイオン発生部２のみを作動させてレナード式マイナスイオン発生部１をオフにすれば、微小水滴生成部１１による水切り音などから発生する騒音がないので、安眠しながらマイナスイオンによる効果を生起させることができる。
【００６１】
もちろん、レナード式マイナスイオン発生部１の微細水滴生成用モータ１４や放電式マイナスイオン発生部２の能力を自在に調整可能とすれば、流路幅調整弁６の制御と合わせ、更にきめ細やかな制御が可能となる。
【００６２】
（第２実施例）
図６に第２実施例に係るマイナスイオン発生装置Ｂの分解斜視図を示す。なお、第１実施例と同一の構成要素については同一の符号を付し、詳しい説明は省略する。
【００６３】
本実施例が第１実施例と異なるのは、レナード式マイナスイオン発生部１と放電式マイナスイオン発生部２とに、それぞれ個別のファンＦ１，Ｆ２を設けた点にある。
【００６４】
本実施例おいては、図示するように、筐体３の略中央に排水タンク５を配設するとともに、同排水タンク５を挟んで対峙する位置にファンＦ１，Ｆ２を配設している。そして、ファンＦ１とレナード式マイナスイオン発生部１の遠心分離部１３とを屈曲状ダクト３６’を介して連通連結する一方、ファンＦ２と放電式マイナスイオン発生部２の筒部２８とを直立状ダクト３６’’を介して連通連結し、しかも、各ファンＦ１，Ｆ２を個別に制御可能としている。
【００６５】
かかる構成とすることにより、前述したレナード式マイナスイオン発生部１と放電式マイナスイオン発生部２との個別制御をより効果的に行うことができる。
【００６６】
すなわち、それぞれ独立して配設したファンＦ１，Ｆ２及びダクト３６ａ，３６ｂを設けるとともに、かつ各ファンＦ１，Ｆ２の回転数についても個別制御することで、レナード式マイナスイオン発生部１及び放電式マイナスイオン発生部２からの各マイナスイオンの放出量を、独立してきめ細かく調整することができるのである。
【００６７】
つまり、前述したように一定の風量を、第１の放出口４１と第２の放出口４２とに流路幅調整弁６の回動量で配分するのではなく、各ファンＦ１，Ｆ２の回転数を個別制御することで、いずれの放出口４１，４２からも最大風量あるいは最小風量を得ることができるし、あるいは一方を完全にオフすることも可能となるのである。
【００６８】
したがって、使用者は必要に応じてレナード式マイナスイオン発生部１及び放電式マイナスイオン発生部２とを最大限に利用できることになり、使い勝手が著しく向上する。
【００６９】
また、図示するように、本実施例では、第１の放出口４１と第２の放出口４２とが略対角線上に設けられることになり、両放出口４１，４２から放出されるマイナスイオン同士は全く干渉し合うことなく円滑に放出されるので、レナード式マイナスイオン発生部１及び放電式マイナスイオン発生部２の各利点を互いに打ち消してしまうおそれもない。
【００７０】
【発明の効果】
（１）請求項１記載の本発明では、水滴を分裂させてマイナスイオンを発生させる第１のマイナスイオン発生源と、放電によりマイナスイオンを発生させる第２のマイナスイオン発生源とを、同一の筐体内に組込んだことにより、第１のマイナスイオン発生源からの大イオンであるマイナスイオンと、第２のマイナスイオン発生源からの小イオンであるマイナスイオンという性状の異なる二種類のマイナスイオンを同時に発生させることができ、人間の生活空間内に健康に良いとされるマイナスイオンの効果を最大限に引き出すことが可能となる。また、前記第１のマイナスイオン発生源からのマイナスイオンを放出する第１のマイナスイオン放出口と、第２のマイナスイオン発生源からのマイナスイオンを放出する第２のマイナスイオン放出口とを個別に設けたことにより、性状の異なるマイナスイオン同士が互いに干渉することなく円滑に放出される。また、前記第１のマイナスイオン放出口を略水平方向に開口する一方、第２のマイナスイオン放出口を略垂直方向に開口したことにより、性状の異なるマイナスイオンを目的に応じた方向に放出可能となって、拡散力が大きな小イオンからなるマイナスイオンをプラスイオンが発生しやすい壁材に沿って広く部屋中に拡散させてマイナスイオンによるドーム状のバリヤを形成して室内環境を改善し、シックハウス症候群などの発生防止に寄与させるとともに、寿命が長く、人間にやさしく、かつ人体に取り込みやすい大イオンを人体に向けて直接集中的に放出することで、マイナスイオンによる身体への健康促進効果を向上させることができ、またこれらお互いの長所を打ち消しあうこともない。さらに、第１のマイナスイオン放出口から第１のマイナスイオン発生源からのマイナスイオンを放出させ、第２のマイナスイオン放出口から第２のマイナスイオン発生源からのマイナスイオンを放出させるためのファン部と、前記ファン部によって発生した風を第１のマイナスイオン放出口に流すダクトと、前記ダクトに連通連結され前記ファン部によって発生した風を第２のマイナスイオン放出口に流す筒部と、前記ダクトと前記筒部との連結部近傍に設けられ、前記ファン部からの送風量を第１のマイナスイオン発生源と第２のマイナスイオン発生源とに必要に応じて適宜の割合で分配する流路幅調整弁とを有するので、使用者が必要に応じて大イオンを中心に放出させたり、あるいは小イオンを中心に放出させたりすることが可能である。
【００７１】
（２）請求項２記載の本発明では、前記流路幅調整弁を操作する操作部を有し、前記操作部により前記流路幅調整弁を操作することで、前記ファン部からの送風量を第１のマイナスイオン発生源と第２のマイナスイオン発生源とに必要に応じて適宜の割合で分配するので、操作部により流路幅調整弁を操作することで、使用者が必要に応じて大イオンを中心に放出させたり、あるいは小イオンを中心に放出させたりすることが可能である。
【図面の簡単な説明】
【図１】第１実施例に係るマイナスイオン発生装置の説明図である。
【図２】同マイナスイオン発生装置の分解斜視図である。
【図３】放電式マイナスイオン発生部の拡大説明図である。
【図４】同マイナスイオン発生装置の使用例を示す説明図である。
【図５】流路幅調整弁の説明図である。
【図６】第２実施例に係るマイナスイオン発生装置の分解斜視図である。
【符号の説明】
Ａ  マイナスイオン発生装置
１  レナード式マイナスイオン発生部
２  放電式マイナスイオン発生部
３  筐体
１１  微細水滴生成部
１２  ファン部
１３  遠心分離部
４１  第１の放出口
４２  第２の放出口
【図１】
0003779635.tif 000002
【図２】
0003779635.tif 000003
【図３】
0003779635.tif 000004
【図４】
0003779635.tif 000005
【図５】
0003779635.tif 000006
【図６】
0003779635.tif 000007